(57)【要約】      （修正有）【課題】簡素な構造でありながら、強固な回転ベゼルのロックが得られ、しかも壊れにくい回転ベゼルのロック機構を提供する。【解決手段】操作部材のロック機構は、所定方向に動かす操作が可能な操作部材５０と、操作部材５０に複数の凸部を配列して形成した歯に係合して所定方向の動きを規制する規制部材６０と、を有する操作部材のロック機構であって、規制部材６０とは別体であり、歯に係合して操作部材５０の停止位置を決めるばね部材３０を備えた。【選択図】図３
2019215372.tif 000002
【特許請求の範囲】
【請求項１】
所定方向に動かす操作が可能な操作部材と、
該操作部材に複数の凸部を配列して形成した歯に係合して前記所定方向の動きを規制する規制部材と、
を有する操作部材のロック機構であって、
前記規制部材とは別体であり、前記歯に係合して前記操作部材の停止位置を決めるばね部材を備えたことを特徴とする操作部材のロック機構。
【請求項２】
前記操作部材及び前記ばね部材がリング状であることを特徴とする請求項１に記載の操作部材のロック機構。
【請求項３】
前記ばね部材が、リング状の本体と、前記本体から上方へ突出したばね部と、前記本体から下方に突出した支持部と、
を有することを特徴とする請求項１又は２に記載の操作部材のロック機構。
【請求項４】
前記支持部が、前記規制部材を載置するケースの上面に複数設けられた係止穴に係止されていることを特徴とする請求項３に記載の操作部材のロック機構。
【請求項５】
請求項１〜４のいずれか一項に記載の操作部材のロック機構を有する時計。
【発明の詳細な説明】
【技術分野】
【０００１】
本発明は、ダイバーズウオッチに用いられるような回転ベゼル等の操作部材のロック機構に関する。
【背景技術】
【０００２】
携帯時計において、胴部の中心線まわりで回転可能に胴部に装着され、周方向に沿って一定の角度間隔で凹凸を備えたベゼルと、ベゼルの回転に際してクリック感を与えるように先端部においてベゼルの凹凸の窪みに弾性的に係合可能に胴部に装着された板バネとを備えたダイバーズウオッチなどの回転ベゼル付携帯時計が知られている。
【０００３】
この種の携帯時計では、ベゼルには周方向に６０分刻みの目盛が付与されており、例えば潜水開始時にベゼルの目盛の原点を潜水開始時点の指針（例えば分針）位置に合わせるようにベゼルをセットして潜水を開始する。この場合、潜水時間は時計の分針の位置をベゼルの目盛で読むことによりボンベの残量時間を大まかに直接視認可能になる。そして、水中での誤操作を防止するために、ベゼルが時計の進む方向には回転しない構造になったものが一般的である。また、一旦セットしたベゼルが不用意に回転しないように、ベゼルの回転をロックする機構を有するものが従来技術として知られている。（例えば特許文献１、特許文献２）
図１４は特許文献１の携帯時計の回転式ベゼル装置の回転許容状態におけるベゼルとストッパとの位置関係を示した断面図である。ここに示されたベゼルの回転をロックする機構は、胴部１２０に組込まれたストッパ１５０の突起部を指でつまんでストッパ１５０の斜面部１５４をクリックばね１４０の下に差し込むことによって、先端係合部１４７がベゼル１００の凹部１６６に係合したクリックばね１４０が、下方に逃げる余地がなくなってベゼル１００の回転をロックするようになっている。
【０００４】
図１５は特許文献２の回転式ベゼル装置におけるロック状態のベゼルとストッパとの関係を示した断面図である。ここに示されたベゼルの回転をロックする機構は、回転ベゼル２０１の下部の固定用リング２０６に、バネ２１０によって下方に付勢された固定用ピン２０９が収納されており、固定用リング２０６の反時計周りの回転操作にともなって固定用ピン２０９も反時計周りに移動する。そして、胴２０４の隆条部２１１によって固定用ピン２０９が押し上げられると、ピン２０９の先端２０９ａが回転ベゼル２０１の凹部２０１ａに入って回転ベゼル２０１の回転をロックするようになっている。
【先行技術文献】
【特許文献】
【０００５】
【特許文献１】特開２００３−１９４９６８号公報（段落００２４，段落００２５，図３，図５）
【特許文献２】実開昭５１−８３３７８号公報（３頁７行〜４頁５行，第７図）
【発明の概要】
【発明が解決しようとする課題】
【０００６】
しかしながら、従来技術において、特許文献１のロック機構では、ベゼルの回転をロックするロック状態のときに、ベゼルを強い力で回転させると、クリックばねが変形してベゼルが回転する恐れがある。また、特許文献２のロック機構では、ロック部材としてコイルばねが必要になり構造も複雑になるという課題がある。
【０００７】
本発明は、このような従来の問題を解決するためになされたものであり、その目的は簡
素な構造でありながら、強固な回転ベゼルのロックが得られ、しかも壊れにくい回転ベゼルのロック機構を提供することである。
【課題を解決するための手段】
【０００８】
前述した目的を達成するための構成は、所定方向に動かす操作が可能な操作部材と、該操作部材に複数の凸部を配列して形成した歯に係合して前記所定方向の動きを規制する規制部材と、を有する操作部材のロック機構であって、前記規制部材とは別体であり、前記歯に係合して前記操作部材の停止位置を決めるばね部材を備えたことを特徴とする。
【０００９】
上記構成によれば、規制部材を規制しない位置に戻すための戻しばねが不要となり、簡素な構成でありながら、操作部材の強固なロック操作が可能となり、しかも、壊れにくい操作部材のロック機構を構成することができるという効果が得られる。
【００１０】
前記操作部材及び前記ばね部材がリング状であっても良い。
【００１１】
前記ばね部材が、リング状の本体と、前記本体から上方へ突出したばね部と、前記本体から下方に突出した支持部と、を有していても良い。
【００１２】
前記支持部が、前記規制部材を載置するケースの上面に複数設けられた係止穴に係止されていても良い。
【００１３】
前記操作部材のロック機構を有する時計であっても良い。
【発明の効果】
【００１４】
本発明によれば、規制部材を規制しない位置に戻すための戻しばねが不要となり、簡素な構成でありながら、操作部材の強固なロック操作が可能となり、しかも、壊れにくい操作部材のロック機構を構成することができるという効果が得られる。
【図面の簡単な説明】
【００１５】
【図１】本発明の実施形態である回転ベゼルのロック機構を備える携帯時計の平面図である。
【図２】図１に示す携帯時計の回転ベゼル付近の断面図である。
【図３】図１に示す携帯時計の分解斜視図である。
【図４】（ａ）は、図１に示す携帯時計に用いるクリックばねの上面側斜視図、（ｂ）はばね部の先端部付近を拡大して係止状態を示した断面図である。
【図５】図１に示す携帯時計に用いるロックピンの上面側斜視図である。
【図６】図１に示す携帯時計に用いる回転ベゼルの上面側斜視図である。
【図７】図１に示す携帯時計に用いるロックリングの上面側の部分斜視図である。
【図８】図１に示す携帯時計に用いるロックリングの下面側の部分斜視図である。
【図９】（ａ）は図１に示す携帯時計に用いるロックリングとケースとの係合状態を示すケースの外側から見た周方向の断面図、（ｂ）はプランジャの断面図である。
【図１０】図１に示す携帯時計に用いるロック状態のロックピンの動作を説明する図である。
【図１１】図１に示す携帯時計に用いるロック解除状態のロックピンの動作を説明する図である。
【図１２】図１に示す携帯時計のロック状態とアンロック状態のときのロックピンの位置を示す断面図である。
【図１３】本実施形態のロックピンの変形例を示す部分拡大斜視図である。
【図１４】従来技術のロック機構を示す断図面である。
【図１５】従来技術のロック機構を示す断図面である。
【発明を実施するための形態】
【００１６】
以下、本発明の実施の形態について、図面に基づいて詳細に説明する。図１から図１２には、本発明の好ましい実施形態のロック機構を備えた携帯時計１０が示されている。
【００１７】
図１は本発明のロック機構を備えた携帯時計１０の平面図である。図２は携帯時計１０の部分断面図であり、ロックピン６０の支持軸６２の中心を通る面で切断した断面である。図３は携帯時計１０の分解斜視図である。
【００１８】
以下、携帯時計１０の機能部品について順に説明する。
【００１９】
図２において、携帯時計１０のリング状のケース２０の上面には筒状部２１が形成され、その外側に円環状の第一段部２２とさらにその外側には一段低い第二段部２３が形成されている。ケース２０の上面側にはパッキン２０ａを介してガラス１１が嵌着され、下面側には図示しない裏蓋が螺着されている。ケース２０、ガラス１１、及び裏蓋によって形成された空間１２には、中央部に図示しないムーブメントが、下面側には図示しない電池などが収納されている。
【００２０】
図３に示すように、ケース２０の第二段部２３の縁からケース２０の側面上方に渡って凹部２４が周方向の複数個所に形成されている。
【００２１】
また、図３に示すように、ムーブメントが組み込まれたケース２０の第一段部２２上にはクリックばね３０が組み込まれ、第二段部２３上の２カ所に規制部材であるロックピン６０が組み込まれ、その上から規制操作部材であるロックリング４０が組み込まれている。さらに、ロックリング４０上面の段部４１には操作部材である回転ベゼル５０が組み込まれている。なお、後述する銘板５２は、機能部品ではないため図３では省略してある。
【００２２】
図４はクリックばね３０を示し、図４（ａ）はクリックばね３０の上面側斜視図であり、
図４（ｂ）はばね部３２の先端部付近を拡大して係止状態を示した断面図である。図４（ａ）に詳細を示すように、クリックばね３０には、リング状の本体３１から上方へ切り起こされて二段に曲げられたばね部３２が等間隔に３カ所ある。図４（ｂ）に示すように、ばね部３２の先端は、後述する回転ベゼル５０の歯５６を構成する複数の凸部５６ａの間の凹部のいずれかに係合している。このクリックばね３０によって、回転ベゼル５０の操作に伴い操作者にクリック感が得られるとともに、回転ベゼル５０における回転方向の停止位置が、ばね部３２の先端部によって位置決めされるようになっている。
【００２３】
また、本体３１からは下方に直角に切り曲げられた支持部３３が２カ所に突出しており、この支持部３３はケース２０の第一段部２２に設けられた係止穴２２ａに係止される。尚、一つの支持部３３は、図４（ａ）に示す位置に設けられ、もう一つの支持部３３は、図示した支持部３３から１８０度離れた位置に設けられている。係止穴２２ａは一つの支持部３３につき等間隔に第一段部２２の複数個所に設けられており、そのいずれか一つを選択して支持部３３を係止させることによって、ケース２０に対するクリックばね３０の回転方向の位置を調整できるようになっている。一箇所の係止穴２２ａは、図３に図示した位置に設けられ、もう一箇所の係止穴は、図３に図示した係止穴から１８０度離れた位置に形成されている。
【００２４】
図５はロックピン６０を上面側から見た斜視図である。図５に示すように、ロックピン６０の平面は円弧状で一定の幅と厚さを有している。このロックピン６０の一方の端部６０ａ付近には、上面に後述する回転ベゼル５０の歯５６を構成する凸部５６ａと凸部５６
ａとの間の凹部に係合して回転ベゼル５０の回転を規制する規制部であるピン６１が形成され、また、下面には支持軸６２が一体に形成されている。さらに、両端部６０ａ，６０ｂに近い上下面には斜面６０ａ１、６０ｂ１が形成されている。斜面６０ａ１は、一方の端部６０ａの下面側が切り欠かれて、この一方の端部６０ａが先細りの形状に形成されている。斜面６０ｂ１は、他方の端部６０ｂの上面側が切り欠かれて他方の端部６０ｂが先細りの形状に形成されている。
【００２５】
支持軸６２はケース２０の第二段部２３に形成されたガイド穴２３ｂに一定のクリアランスを持って挿入されており、このロックピン６０の自由な上下動を案内するようになっている。支持軸６２によって、ロックピン６０は、回転ベゼル５０の歯５６を構成する複数の凸部５６ａの配列方向に沿った方向への移動範囲が、ガイド穴２３ｂに対するクリアランスの範囲に制限される。ガイド穴２３ｂは、図３に図示した位置と、この位置から１８０度離れた位置の２箇所に形成されている。
【００２６】
ロックピン６０はケース２０の載置部である第二段部２３の上面と回転ベゼル５０の下面との間にあって、内側を第一段部２２の外側面と、外側をロックリング４０の内側面４９とに囲まれた周方向の空間の２箇所に上下に移動可能に載置されている。
【００２７】
図２で示すように、ケース２０の筒状部２１の外壁面と回転ベゼル５０の内壁面とには対向するようにそれぞれ溝部２１ａ、５０ｂが形成されている。そして、平面視が多角形の外形線の一部を欠落させた略Ｃ字形状である図示しない金属Ｃリングをこの溝部２１ａ、５０ｂに渡って係合させることによって、回転ベゼル５０がケース２０から外れないようになっている。
【００２８】
図６は回転ベゼルを上面側から見た斜視図である。図６に示すように、回転ベゼル５０の外周には等間隔に６カ所の操作部５０ａが張り出して形成されている。操作部５０ａの側面５０ａ１は、この操作部５０ａの回転方向に対する傾斜を反対の斜面５０ａ２よりきつくして反時計回りに操作し易くしてある。回転ベゼル５０の上面側には円環状の段部５１が形成されており、段部５１には図２に示す銘板５２（図３では機能部品ではないため省略されている）が図１に示す等間隔に４本のネジ５３で固定されている。
【００２９】
銘板５２上には、図１に示した分目盛５４と原点マーク５７と５分間隔の数字５５が、携帯時計１０の平面視で、針１４と文字板１３の見切り範囲とを取り囲むように記されている。回転ベゼル５０下面には、半径方向に凹部が刻まれて形成された複数の凸部５６ａが周方向に等間隔に設けられている。図４（ｂ）に示すように、この凸部５６ａの凹部の周方向の断面形状を左右非対象にして、クリックばね３０のばね部３２の先端が係合して回転ベゼル５０が反時計回りの一方向にしか回転できないようにしてあってもよい。
【００３０】
図７はロックリング４０の上面側の一部を拡大した斜視図である。図７に示すように、ロックリング４０の内周には、半円弧状の段部４１ａ，４１ｂが等間隔に２カ所に形成されている。尚、図７では、段部４１ａは一端側だけを図示し、段部４１ｂは他端側だけを図示している。段部４１ａ，４１ｂはロックリング４０の上面からやや下がった位置に上面を有している。段部４１ａの一端には、段部４１ａの上面からさらに下がった位置に上面を有し、この上面が切り欠かれて下面側に傾斜した先細りの斜面である上向きの斜面４５を先端に有する規制作用部４６が形成されている。段部４１ｂの他端には、段部４１ｂの下面からロックピン６０の厚さ以上上がった位置に下面を有し、この下面が切り欠かれて上面側に傾斜した先細りの斜面である下向きの斜面４７を先端に有する解除作用部４８が形成されている。
【００３１】
段部４１ａの図示しない他端には、解除作用部４８と同じ形状の解除作用部が形成され
、段部４１ｂの図示しない一端には、規制作用部４６と同じ形状の規制作用部が形成されている。すなわち、段部４１ａと段部４１ｂのそれぞれの両端に、規制作用部４６と解除作用部４８とが形成されている。段部４１ａの規制作用部４６と段部４１ｂの解除作用部４８とは対向するように設けられており、これらの間に位置するロックピン６０に対し、ロックリング４０の旋回動作に応じて、両作用部はそれぞれ異なった作用を行うようになっている。
【００３２】
そして、携帯時計１０がロック状態にあるときには、規制作用部４６の上面の先端がロックピン６０の下面の先端の位置にあって、解除作用部４８の下面の先端はロックピン６０の上面の後端の位置にある。携帯時計１０がアンロック状態にあるときには、解除作用部４８の先端がロックピン６０の先端に近い位置にあって、規制作用部４６の先端はロックピン６０から離れた位置にある。規制作用部４６と解除作用部４８は、このような位置関係である。段部４１ａの図示しない解除作用部と、段部４１ｂの図示しない規制作用部の位置関係も、図示した規制作用部４６，解除作用部４８の位置関係と同様であり、これらの間に、もう一つのロックピン６０が配置されている。
【００３３】
図３に示すように、ロックリング４０の外周には等間隔に２カ所の半径方向に張り出してロックリング４０を旋回させるときに操作する操作部４０ａが形成されており、操作部４０ａの上面には時計回り方向を示す矢印とＬＯＣＫの文字並びに反時計回りの方向を示す矢印とＦＲＥＥの文字が記されている。
【００３４】
図８はロックリング４０の下面側の部分斜視図である。図８に示すようにロックリング４０の下面側には、周方向に長い溝部４２と、長い溝部４２を挟むようにして短い溝部４３、４４が形成されている。溝部４２、４３、４４はそれぞれ半径方向に一定の幅を有している。図９（ａ）はロックリング４０とケース２０との係合部をケース２０の外側から見た周方向の断面図であり、ロックリング４０がアンロック位置にあるところである。図９（ｂ）はプランジャ７０の断面図である。
【００３５】
図９（ｂ）に詳細を示すプランジャ７０は、円筒状の底付容器７１に収納され、圧縮コイルばね７２によって上方へ付勢されたスチールボール７３が絞られた容器７１の上方の開口部から露出している部品であり、ケース２０の第二段部２３に等間隔に２カ所に設けられた穴２３ａに植設されている。一つの穴２３ａは、図３に示した位置に設けられ、もう一つの穴２３ａは、図３に示した位置から１８０度離れた位置に設けられている。
【００３６】
ロックリング４０の操作部４０ａを操作してロック位置に停止させるときには、このプランジャ７０のスチールボール７３が、ロックリング４０の下面側の長い溝部４２と短い溝部４４との間の下面側に突出した凸形状の部分を乗り越えて、短い溝部４４に係合する際に、時計の使用者がクリック感を得る。また、ロックリング４０の操作部４０ａを操作してアンロック位置に停止させる時には、プランジャ７０のスチールボール７３が、ロックリング４０の下面側の長い溝部４２と短い溝部４３との間の下面側に突出した凸形状の部分を乗り越えて、短い溝部４３に係合する際に、時計の使用者がクリック感を得る。
【００３７】
ロックリング４０の全体はＤＬＣ膜（ダイヤモンドライクカーボンと呼ばれる硬質膜）で被覆されている。そして、短い溝部４３、４４と長い溝部４２の傾斜面となっている側面４３ａ、４４ａ、４２ａ、並びに両溝間の下面４０ｂ１，４０ｂ２のＤＬＣ膜はレーザーで除去してある。これはプランジャ７０のスチールボール７３がロックリング４０の下面の各溝間の凸形状の部分を乗り越える際、ステンレス製のスチールボール７３よりも硬度が高いＤＬＣ膜によってスチールボール７３が摩耗して、各溝間の凸形状の部分を乗り越える際に支障が生じる程度に変形するのを防ぐためである。また、側面４３ａ、４４ａ、４２ａ、並びに各溝間の下面のＤＬＣ膜を除去せずに、スチールボール７３をセラミッ
クス等の硬質材料で形成して、ボール側が磨耗しないようにすることもできる。
【００３８】
誤操作によってロック状態が解除されるのを防ぐために、側面４３ａ、４４ａ、４２ａは、矢印で示した３カ所を他より緩やかにし、２つの側面４４ａのうち、図９における左側の側面４４ａを急な傾斜としても良い。これにより、溝部４４がプランジャ７０の位置にあるロック状態から、アンロック状態にするためにロックリング４０を反時計周りに旋回したときのロックリング４０の回転操作に要する回転トルクを大きく設定して、ロック動作の動きは緩く、アンロック動作の動きはきつくすることができる。
【００３９】
ケース２０における第二段部２３上面には、外周よりに等間隔に２カ所のロック／アンロック状態を表示するための円弧状の表示部２５が設けられている。この表示部２５は、例えば赤色に着色されており、回転ベゼル５０のロック状態では、この表示部２５は、ロックリング４０から外周に突出する操作部４０ａによって覆い隠され、回転ベゼル５０のアンロック状態では、操作部４０ａが回転して、この表示部２５が露出するようになっている。この表示部２５を見ることによってロック又はアンロックの状態が容易に視認できるようになっている。
【００４０】
尚、ロックリング４０を回転させることにより、ロックリング４０の下面側に形成された溝部４２をケース２０の凹部２４の位置に一致させることができ、溝部４２は、その外周側の部分がケース２０の凹部２４から露出する。この状態で、携帯時計１０のガラス１１を上にして、凹部２４の付近に水道水等を流し込むことで、水道水が各部品の間に流れ込んで溝部４２や他の部分を通って放水され、溝部４２内に入った砂埃等を洗い流すことができる。
【００４１】
図１０は携帯時計１０がロック状態にあるときのロックリング４０とロックピン６０と回転ベゼル５０の関係を示すケース２０の外側から見た断面図、図１１は同じくアンロック状態にあるときの３者の関係を示す断面図、図１２は携帯時計１０のロック状態とアンロック状態のときのロックピン６０の位置を示す断面図である。尚、図１２は、図面が複雑にならないように、規制作用部４６と解除作用部４８は省略している。
【００４２】
アンロック状態の携帯時計１０をロック状態にさせようとするときには、操作部４０ａを操作してロックリング４０を回転ベゼル５０の歯５６を構成する複数の凸部５６ａの配列方向に沿った第１の方向である時計回りに旋回させてロック位置にセットする。このとき、図９（ａ）に示したロックリング４０の下面の溝部４４がプランジャ７０に嵌ってロックリング４０の位置が定まる。この旋回動作に伴って、規制作用部４６は前進してロックピン６０を回転ベゼル５０側に押し上げる作用をする。
【００４３】
すなわち、ロックリング４０が時計周りに旋回すると、図１０に示す状態の直前に、斜面４５の付近とロックピン６０の斜面６０ａ１の付近とが当接し、これにより支持軸６２によってロックピン６０には上に持ち上がる力が作用する。さらにロックリング４０が旋回運動を続けると、規制作用部４６がロックピン６０の下に潜り込んで、図１０に示すように、規制作用部４６の上面が、ロックピン６０の一方の端部６０ａの下面を回転ベゼル５０側に押し上げる。尚、ロックピン６０の上面は、回転ベゼル５０の歯５６との対向面であり、ロックピン６０の下面は、回転ベゼル５０の歯５６との非対向面である。
【００４４】
この状態では、ピン６１が回転ベゼル５０の歯５６の凹部に係合する。これと同時に、解除作用部４８は後退して斜面４７がロックピン６０の他方の端部６０ｂの浮き上がりを抑制するようになる。これによってロックピン６０は他方の端部６０ｂを支点として右上がりに傾斜することになり、ピン６１が回転ベゼル５０の歯５６の間の凹部のいずれか一つに係合する位置に移動するから回転ベゼル５０の回転はロックされる。なお、このとき
、ピン６１が歯５６の凹部に丁度係合する位置に来るようにするために、予めケース２０に対するクリックばね３０の組み込み位置を調整してある。
【００４５】
図１２に示すように、アンロック状態におけるロックピン６０の上面はＳ１の位置であり、ロック状態におけるロックピン６０の上面はＳ２の位置である。そして、ロックピン６０の一方の端部６０ａはロック状態及びアンロック状態の間をＲで示した軌跡を描いて移動する。従って、ロックピン６０が、回転ベゼル５０の歯５６に係合しないアンロック状態から、係合するロック状態となる規制動作を行う際に、ロックピン６０は、Ｓ１，Ｓ２，Ｒで囲まれる空間ＳＰ内の移動を要する。
【００４６】
ロック状態の携帯時計１０をアンロック状態にさせようとするときには、操作部４０ａを操作してロックリング４０を第１方向とは反対の第２方向である反時計回りに旋回させてアンロック位置にセットする。このとき、図９（ａ）に示したロックリング４０下面の溝部４３がプランジャ７０に嵌ってロックリング４０の位置が定まる。この旋回動作に伴って、図１１に示すように、解除作用部４８は前進して、ロックピン６０が規制動作に要する図１２に示した空間ＳＰの外からこの空間ＳＰの中に入る。そして、解除作用部４８は、さらに前進して、ロックピン６０の回転ベゼル５０の歯５６との対向面である上面の大半を覆って、ロックピン６０の浮き上がりを妨げる作用をする。一方規制作用部４６はロックピン６０には関わらない位置に後退するから、ピン６１は歯５６の凹部とは係合しなくなり回転ベゼル５０の回転は自由になる。
【００４７】
次に、規制作用部４６と解除作用部４８がロックリング４０に形成される位置について説明する。
【００４８】
図１１に示した携帯時計１０のアンロック状態から、ロックリング４０を時計回りに旋回させてロック状態にする場合において、規制作用部４６の上面がロックピン６０の下面側を回転ベゼル５０側に押す位置まで移動して、ロックピン６０が傾き始めるときに、解除作用部４８は、図１２に示した空間ＳＰの外に移動するか、または、空間ＳＰの中であっても、規制作用部４６の上面が、ロックピン６０の下面側を押し上げる動作を妨げない位置まで後退する。
【００４９】
また、図１０に示した携帯時計１０のロック状態から、ロックリング４０を反時計回りに旋回させてアンロック状態にする場合において、解除作用部４８が図１２に示した空間ＳＰの中に入るときに、規制作用部４６の上面が、ロックピン６０の下面側を回転ベゼル５０側に押し上げない位置まで移動するか、又は、ロックピン６０の下面側を回転ベゼル５０側に押し上げる位置であっても、解除作用部４８が空間ＳＰの中に入る動作を妨げない程度のロックピン６０の傾きとなる位置まで後退する。このような位置関係になるように、規制作用部４６及び解除作用部４８がロックリング４０に形成されている。
【００５０】
規制作用部４６と解除作用部４８がこのような位置関係であれば、ロックリング４０が、どのような回転位置であっても、規制作用部４６と解除作用部４８のいずれか一方がロックピン６０に作用することとなり、ロックピン６０に規制作用部４６と解除作用部４８の両方が作用しない不安定な状態が存在しない。
【００５１】
通常、携帯時計１０は、文字板１３側を上に向け、裏蓋側を下に向けて使用する。この場合は、図１０に示した状態から、規制作用部４６が後退したときに、ロックピン６０の下面を規制作用部４６が押し上げなくなり、ロックピン６０は、自重によって図１１に示した位置に移動するとともに、解除作用部４８が図１２に示した空間ＳＰに中に入る。
【００５２】
仮に、携帯時計１０を、文字板１３側を下に向け、裏蓋側を上に向けて使用している場
合、図１０に示した状態から、規制作用部４６が後退したときに、ロックピン６０は、自重では図１１に示した位置に移動しない。この場合は、図１２に示した空間ＳＰ内に前進してくる解除作用部４８が、ロックピン６０の上面を押し下げることにより、ロックピン６０が図１１に示した位置に移動する。
【００５３】
従って、ロックピン６０は、戻しばねを設けずに、ロックリング４０の回転操作によって、回転ベゼル５０の歯５６に係合する状態から、回転ベゼル５０の歯５６に係合しない状態となる。
【００５４】
前述のように、２つのロックピン６０が２箇所に設けられ、これに対応してロックリング４０には、規制作用部４６と解除作用部４８とが２組設けられており、図１０や図１１に示したロック状態やアンロック状態への動作は、これらの２箇所の位置で同時に行われる。
【００５５】
以上説明したように、本実施形態に示した回転ベゼルのロック機構は、回転ベゼル５０の操作にクリック感を付与するクリックばね３０とは別に、規制部材であるロックピン６０を用いるため、回転ベゼル５０の強固なロックが可能であり、壊れにくい。
【００５６】
また、本実施形態に示した回転ベゼルのロック機構は、規制操作部材であるロックリング４０が、回転ベゼル５０の歯５６を構成する複数の凸部５６ａの配列方向に沿った方向に回転する簡単な構造を用いることができる。さらに、本実施形態に示した回転ベゼルのロック機構は、ロックピン６０を、回転ベゼル５０の歯５６に係合する携帯時計１０のロック状態から、回転ベゼル５０の歯５６に係合しない携帯時計１０のアンロック状態に動作させる際の戻しばねが不要となるため、構造が簡単である。
【００５７】
次に、規制部材であるロックピンの変形例について説明する。図１３は本実施形態のロックピン６０の変形例を示す上面側斜視図である。図１３（ａ）に示したロックピン６５には規制部である立方体形状の係合部６６がロックピン６５の幅とほぼ同じ幅で１カ所に形成されている。係合部６６は回転ベゼル５０の歯５６の凹部に係合する断面形状を有する。他の構成はロックピン６０と同様である。このロックピン６５は、係合部６６の幅が図５に示したロックピン６０より長いため、歯５６の凹部との係合がより一層強固になるとともに、係合部６６が歯５６に係合した状態で携帯時計１０に衝撃が加わっても、係合部６６が破損し難い。
【００５８】
図１３（ｂ）に示したロックピン６７には規制部であるピン６８が２本形成されている。ピン６８は回転ベゼル５０の歯５６の隣り合う凹部と係合する形状を有している。図１３（ｂ）に示したロックピンは、２本のピン６８が歯５６に係合することにより、図１３（ａ）に示したロックピン６７と同様な効果がある。
【００５９】
本実施形態では、操作部材として、回転操作をする回転ベゼル５０の例を示したが、回転操作ではなく直線的にスライドして往復動する操作部材にも適用が可能である。例えば、回転ベゼル５０を１／５程度の長さで直線状に真っ直ぐ伸ばした形状とし、ロックリング４０をこれに合わせた形状とすることで、これらの部材をスライドスイッチのようなスライド操作部材として構成することが可能である。
【００６０】
また、本実施形態では、ロックピン６０が他方の端部６０ｂを支点として傾く構造としたが、ケース２０の第二段部２３と回転ベゼル５０の歯５６との間でロックピン６０が傾かずに上下動する構造としてもよい。例えば、ロックピン６０の長さを短くし、ロックピン６０が傾かないように支持軸６２の長さを長くすることにより上下動させても良い。この場合、規制作用部４６と解除作用部４８は、短くしたロックピン６０の両端部６０ａ，
６０ｂ付近まで伸ばして形成すると良い。但し、本実施形態に示した構造の方が、支持軸６２が短くても良く、ロックピン６０の動作も安定する。
【００６１】
さらに、規制作用部４６とロックピン６０の一方の端部６０ａのそれぞれに斜面４５と斜面６０ａ１を設けたが、いずれか一方だけに斜面を設けても良いし、両方に斜面を形成しなくても同様な動作を行うように構成することができる。例えば、ロックピン６０だけに斜面６０ａ１を設けるとともに、ロックピン６０の一方の端部６０ａの厚さを規制作用部４６の端部の厚さよりも厚くする。この構成によって、ロックピン６０の斜面６０ａ１に、規制作用部４６の矩形状の端部が当接し、規制作用部４６の端部がロックピン６０の下に案内されるようにしても良い。
【００６２】
また、ロックピン６０と規制作用部４６の両方に斜面を設けずに、ロックピン６０の支持軸６２の長さをガイド穴２３ｂの深さよりも長くして、携帯時計１０のアンロック状態においてロックピン６０の一方の端部６０ａが第二段部２３から規制作用部４６の端部の厚さ以上浮いた状態としてもよい。これにより、規制作用部４６の端部が、第二段部２３とロックピン６０の下面との間に入って、規制作用部４６の端部がロックピン６０の下面を直接押すことができる。
【００６３】
但し、本実施形態のように、ロックピン６０と規制作用部４６の両方に斜面を形成した方が、これらのいずれか一方だけに斜面を形成した場合と比較して、規制作用部４６がロックピン６０を回転ベゼル５０の歯５６の方にスムーズに押すことができる。また、ロックピン６０と規制作用部４６の両方に斜面を形成した方が、これらの両方に斜面を形成しない場合と比較して、携帯時計１０のロック解除状態でロックピン６０を傾斜させなくても良いため、ロック機構を薄型化することができる。
【００６４】
また、本実施形態では、解除作用部４８とロックピン６０の他方の端部６０ｂの両方に斜面４７と斜面６０ｂ１を設けたが、いずれか一方だけに斜面を設けても良いし、両方に斜面を形成しなくても同様な動作を行うように構成することができる。特に、解除作用部４８は、その下面が携帯時計１０のアンロック状態におけるロックピン６０の上面よりも高い位置にある。従って、この高さの設定によっては、解除作用部４８とロックピン６０の他方の端部６０ｂの一方又は両方に斜面を設けなくても、ロック解除操作の際に、解除作用部４８の端部が、ロックピン６０の他方の端部６０ｂに引っかからないように構成することができる。
【００６５】
但し、本実施形態のように、解除作用部４８とロックピン６０の両方に斜面を形成した方が、解除作用部４８が空間ＳＰ内にスムーズに移動できるし、解除作用部４８の下面をロックピン６０の上面に近づけて薄型化することができる。
【００６６】
さらに、ロックリング４０の回転方向に応じて、規制作用部４６と解除作用部４８とが、択一的に切り替わりロックピン６０に作用するように構成したが、例えば、ロックリング４０をＦＲＥＥ方向に回転させたときに、ロックピン６０への規制作用部４６の作用が解除されてから、連続せずに間隔を置いて解除作用部４８が作用するように構成することも可能である。ロックリング４０をＬＯＣＫ方向に回転させる場合も同様である。
【００６７】
但し、ロックピン６０に規制作用部４６と解除作用部４８の両方が作用しない状態があると、携帯時計１０の姿勢に応じてロックピン６０が動き、ロックリング４０が、「ＬＯＣＫ」の回転位置ではないにもかかわらず、ロックピン６０が回転ベゼル５０の歯５６に係合することもある。これに対し、本実施形態では携帯時計１０の姿勢に依存せずに使用することができる。
【００６８】
また、ロックピン６０がロックリング４０の回転方向に動かないようにできれば、ロックピン６０に支持軸６２を設けなくても良い。例えば、ロックピン６０における他方の端部６０ｂ付近の背面側に凹部を形成するか、又は、貫通孔を形成し、この凹部又は貫通孔に、第二段部２３に形成した凸部が係合して、ロックリング４０の回転方向に動かない構造としても良い。
【００６９】
また、本実施形態では、規制作用部４６の端部の上面に対し、解除作用部４８の下面の方が、ロックピン６０の厚さ以上離れた位置にあるが、他の構成を用いることも可能である。例えば、ロックピン６０における支持軸６２から他方の端部６０ｂ側の部分は、ロックピン６０の厚さに応じた高さだけ回転ベゼル５０から遠ざけるように一段低い形状に形成する。そして、第二段部２３に、この一段低い部分に対応した凹部を形成することにより、解除作用部４８の下面を、規制作用部４６の下面とほぼ同じ高さ位置に形成することも可能である。但し、本実施形態に示した構成の方が、第二段部２３及びロックピン６０の形状を簡素化できる。
【符号の説明】
【００７０】
１０  携帯時計
１１  ガラス
１２  空間
２０  ケース
２１  筒状部
２２  第一段部
２３  第二段部
２４  凹部
２５  表示部
３０  クリックばね
３１  本体
３２  ばね部
４０  ロックリング
４０ａ  操作部
４１，４１ａ，４１ｂ  段部
４２  溝部
４２ａ  側面
４３  溝部
４３ａ  側面
４４  溝部
４４ａ  側面
４５  斜面
４６  規制作用部
４７  斜面
４８  解除作用部
５０  回転ベゼル
５１  段部
５２  銘板
５６  歯
５７  原点マーク
６０、６５、６７  ロックピン
６０ａ，６０ｂ  端部
６０ａ１  斜面
６０ｂ１  斜面
６１、６８  ピン
６２  支持軸
６６  係合部
７０  プランジャ
７１  底付容器
７２  圧縮コイルばね
７３  スチールボール
【図１】
2019215372.tif 000003
【図２】
2019215372.tif 000004
【図３】
2019215372.tif 000005
【図４】
2019215372.tif 000006
【図５】
2019215372.tif 000007
【図６】
2019215372.tif 000008
【図７】
2019215372.tif 000009
【図８】
2019215372.tif 000010
【図９】
2019215372.tif 000011
【図１０】
2019215372.tif 000012
【図１１】
2019215372.tif 000013
【図１２】
2019215372.tif 000014
【図１３】
2019215372.tif 000015
【図１４】
2019215372.tif 000016
【図１５】
2019215372.tif 000017